(57)【特許請求の範囲】
【請求項１】
サイクロン本体の内面に螺旋状のガイドを設け、空気と共に吸引したごみを該ガイドに沿って流入させながら空気とごみを分離するサイクロン式ごみ分離機において、サイクロン本体の内面に、家庭から廃棄されるごみの安息角以上の内向きの傾斜角をもつ螺旋状のガイド上板と、該ガイド上板の下部を略水平に仕切るガイド下板とからなるガイドを設けたことを特徴とする、サイクロン式ごみ分離機。
【請求項２】
請求項１において、前記ガイド上板の内周側に、ガイド下板の内周部を越える庇部を設けたことを特徴とする、サイクロン式ごみ分離機。
【発明の詳細な説明】
【０００１】
【発明の属する技術分野】
本発明は、主として家庭から廃棄されるごみを、搬送空気と共に吸引したのち、ごみと空気を分離するサイクロン式ごみ分離機に関する。
【０００２】
【従来の技術】
従来のサイクロン式ごみ分離機は、例えば実公昭６３−３８９２３号に記載され、また図７（ａ）に示すように、サイクロン本体ａの内部に螺旋状の一枚羽根のガイドｂを設け、ごみを下方の貯留槽に強制落下させている。この分離機にあっては、図７（ｂ）に示すように、紙やポリ袋のような低比重のごみｃは、ガイドｂの下面に一旦は保持されるが、サイクロン本体ａ内の気流の乱れ及び上昇気流によって浮遊し、最上部に戻ってしまうことがある。また、厨芥類のように粘性があるごみや水分を含んで重いごみｄは、ガイドｂの上面に堆積して次第に成長し、やがては垂れ下がって後続のごみの流れを阻害し、分離効果を低下させる不都合がある。
【０００３】
【発明が解決しようとする課題】
本発明は、前記ガイドによるごみの誘導作用及び軽量のごみに対する浮遊防止作用を保持させながら、ガイド上面に重いごみが堆積するのを防止することを課題とする。
【０００４】
【課題を解決するための手段】
前記課題を解決するための手段の一つは、請求項１に記載したとおり、サイクロン本体の内面に螺旋状のガイドを設け、空気と共に吸引したごみを該ガイドに沿って流入させながら空気とごみを分離するサイクロン式ごみ分離機において、サイクロン本体の内面に、家庭から廃棄されるごみの安息角以上の内向きの傾斜角をもつ螺旋状のガイド上板と、該ガイド上板の下部を略水平に仕切るガイド下板とからなるガイドを設けたことを特徴とする。この手段によれば、ガイド上板の上面に落ちた重いごみは、該上面の傾斜によって内向きに滑落し、浮遊性のごみはガイド下板の下面に一時保持されたのち再浮遊しようとするが、ガイド上板を滑落するごみと一緒になって落下し易くなる。
【０００５】
前記課題を解決するための他の手段は、請求項２に記載したとおり、請求項１において、前記ガイド上板の内周側に、ガイド下板の内周部を越える庇部を設けたことを特徴とする。この手段によれば、ガイド下面に保持された浮遊性のごみの再浮遊が、ガイド上板から伸びる庇部によって抑制され減少する。
【０００６】
【発明の実施の形態】
以下、図面を参照して本発明の実施の形態を説明する。図１において１は本発明のサイクロン式ごみ分離機であり、これに輸送管２、排気管３が接続され、下部のスクリュウ排出機４を介して貯溜排出機５が接続されている。また排気管３は、図外の防塵機を介して吸込み送風機に接続されている。
【０００７】
輸送管２の上流において、超高層住宅Ａには、適所に投入口６ａをもつダストシュート６が設けられ、該ダストシュート６の下端の貯留槽７に輸送管２と吸気口８が接続され、輸送管２に遮断弁室９が介設されている。
【０００８】
また、低層住宅Ｂの近くには、地上投入口１０が設けられて別の輸送管２に接続され、両輸送管２，２は、共通の点検口１１を有し、且つ切替装置１２及び遮断弁１３で切替え可能である。したがって、切替装置１２によって、住宅Ａ系統、住宅Ｂ系統のように複数ある系統を切替えて前記吸込み送風機を運転し、サイクロン式ごみ分離機１の一つにごみを吸引して処理することができる。
【０００９】
図２〜５において、２０はサイクロン式ごみ分離機１のサイクロン本体を示し、該本体２０の内面には、円筒部２０ａからテーパー部２０ｂにわたって、図３で明らかなように２枚羽根のガイド２１，２１が設けられている。図５は図４のａ，ｂで示される部分を拡大したもので、ガイド２１は、傾斜したガイド上板２２と水平のガイド下板２３を、本体２０の円筒部２０ａ及びテーパー部２０ｂに溶接すると共に、内周縁を溶接部２４で結合して構成され、内部に空間２５が形成されている。
【００１０】
ガイド上板２２の水平面に対する傾斜角θは、ごみが容易に滑落できるように、ごみの安息角によって決められ、厨芥の安息角は一般に３５〜４０°であるから、図示のものでは傾斜角θを４５°としており、二つのガイド２１，２１の平面視の幅は略一定とされている。
【００１１】
ガイド２１，２１は以上の構成であるから、高速で流入したごみは、空間２５内に入り込むことなく螺旋状に案内され、重いごみｄはガイド上板２２上を滑落し、ガイド下板２３に保持された浮遊性のごみｃは、下板２３の内端から出ようとするとき、その多くは上方から落ちる重いごみｄに伴われて落下する。したがって、サイクロン本体２０内に付着するごみや浮遊するごみは殆ど無く、ごみの流れも円滑に行なわれるから分離能率も良好である。
【００１２】
次に図６は、ガイド上板２２の先端をガイド下板２３の先端から少し突出させて庇部２２ａとしたもので、該庇部２２ａによって浮遊性のごみｃがガイド２１，２１から出る速さを低下させ、重いごみに伴われて落下する機会を増大させることができる。
【００１３】
前記の形態においては、サイクロン本体２０の内面のガイドとして、２重ねじ状に２本のガイド２１，２１を用いており、このようにすればガイドのピッチが小さくなって旋回作用が大になると共に、螺旋角が大になって螺旋方向の滑落性が増大する利点がある。しかし、ガイド上板２２にごみの安息角以上の傾斜角θを付したので、螺旋のねじれ角を小にしても重いごみは滑落し易いから、ねじれ角が小さくピッチが小さい１本の螺旋体からなるガイドを用いることもできる。
【００１４】
また、ガイド下板２３の方向は、前記の水平のものに限らず、内方に向けて上向き又は下向きに少し傾斜していてもよい。
【００１５】
【発明の効果】
以上の説明から明らかなとおり、請求項１の手段によれば、ガイド上板に付した内向きの傾斜角で重いごみの堆積が防止され、略水平のガイド下板でガイド上板の下面の狭い空間にごみが付着するのを防止すると共に浮遊性のごみが浮遊するのが抑制されるから、能率的に搬送空気からごみを分離できる効果がある。
【００１６】
また請求項２の手段によれば、ガイド上板からガイド下板の先端を越えて突出する庇部によって、浮遊性のごみの浮遊を抑制する効果が増大される利点がある。
【図面の簡単な説明】
【図１】  本発明のサイクロン式ごみ分離機を設置したごみ回収装置の系統図
【図２】  本発明の実施の形態の縦断面図
【図３】  同じく横断面図
【図４】  同じく一部縦断面図
【図５】  図４の部分拡大図
【図６】  他の実施の形態の部分縦断面図
【図７】  従来例の説明図
【符号の説明】
１  サイクロン式ごみ分離機            ２０  サイクロン本体
２１  ガイド                            ２２  ガイド上板
２２ａ  庇                                ２３  ガイド下板
【図１】
0004278119.tif 000002
【図２】
0004278119.tif 000003
【図３】
0004278119.tif 000004
【図４】
0004278119.tif 000005
【図５】
0004278119.tif 000006
【図６】
0004278119.tif 000007
【図７】
0004278119.tif 000008